(57)【要約】【課題】ページアイテムが適切に付与されていないページをユーザが迅速かつ容易に特定することができるようにする。【解決手段】１つまたは複数のオブジェクトを含む複数のページからなる原稿を編集するための原稿編集装置１に、ページごとに、ページアイテムを付与する処理（＃１５０２）と、ページのうちの、ページアイテムが適切に付与されていない可能性のあるページである不適切可能性ページを、適切に付与されていない要因ごとに抽出する処理（＃１５０３）と、抽出された不適切可能性ページの多さを要因ごとに表示する処理（＃１５０４）と、選択された要因に抽出されたページである選択ページを、不適切可能性ページから除外する処理（＃１５０５）と、選択ページが除外された不適切可能性ページを、確認すべきページとしてユーザに知らせる処理（＃１５０６）と、を実行させる。【選択図】図２３
2011044047.tif 000002
【特許請求の範囲】
【請求項１】
１つまたは複数の第一のオブジェクトを含む複数のページからなる原稿を編集するための原稿編集装置であって、
前記ページごとに、第二のオブジェクトを追加するオブジェクト追加手段と、
前記ページのうちの、前記第二のオブジェクトが適切に追加されていない可能性のあるページである不適切可能性ページを、適切に追加されていない要因ごとに抽出する、不適切可能性ページ抽出手段と、
抽出された前記不適切可能性ページの多さを前記要因ごとに表示する不適切可能性ページ多さ表示手段と、
選択された前記要因に抽出されたページである選択ページを、前記不適切可能性ページから除外する、不適切可能性ページ除外手段と、
前記選択ページが除外された前記不適切可能性ページを、確認すべきページとしてユーザに知らせる、確認ページ通知手段と、
を有することを特徴とする原稿編集装置。
【請求項２】
原稿編集装置により１つまたは複数の第一のオブジェクトを含む複数のページからなる原稿を編集する原稿編集方法であって、
前記原稿編集装置に、
前記ページごとに、第二のオブジェクトを追加するオブジェクト追加処理と、
前記ページのうちの、前記第二のオブジェクトが適切に追加されていない可能性のあるページである不適切可能性ページを、適切に追加されていない要因ごとに抽出する、不適切可能性ページ抽出処理と、
抽出された前記不適切可能性ページの多さを前記要因ごとに表示する不適切可能性ページ多さ表示処理と、
選択された前記要因に抽出されたページである選択ページを、前記不適切可能性ページから除外する、不適切可能性ページ除外処理と、
前記選択ページが除外された前記不適切可能性ページを、確認すべきページとしてユーザに知らせる、確認ページ通知処理と、
を実行させることを特徴とする原稿編集方法。
【請求項３】
１つまたは複数の第一のオブジェクトを含む複数のページからなる原稿を編集するための原稿編集装置に用いられるコンピュータプログラムであって、
前記原稿編集装置に、
前記ページごとに、第二のオブジェクトを追加するオブジェクト追加処理と、
前記ページのうちの、前記第二のオブジェクトが適切に追加されていない可能性のあるページである不適切可能性ページを、適切に追加されていない要因ごとに抽出する、不適切可能性ページ抽出処理と、
抽出された前記不適切可能性ページの多さを前記要因ごとに表示する不適切可能性ページ多さ表示処理と、
選択された前記要因に抽出されたページである選択ページを、前記不適切可能性ページから除外する、不適切可能性ページ除外処理と、
前記選択ページが除外された前記不適切可能性ページを、確認すべきページとしてユーザに知らせる、確認ページ通知処理と、
を実行させることを特徴とするコンピュータプログラム。
【請求項４】
前記要因ごとに抽出された前記不適切可能性ページのサムネイルを表示するサムネイル表示処理を実行させる、
請求項３記載のコンピュータプログラム。
【請求項５】
前記第二のオブジェクトは、ページ番号、ウォーターマーク、日付、会社のロゴマーク、または雑誌もしくは書籍のタイトルである、
請求項３または４記載のコンピュータプログラム。
【請求項６】
前記要因は、前記第二のオブジェクトと前記第一のオブジェクトのデータ形式が画像であるオブジェクトとが重なって配置されていること、前記第二のオブジェクトと前記第一のオブジェクトのデータ形式がテキストであるオブジェクトとが重なって配置されていること、前記第二のオブジェクトを構成するテキストの色と前記第二のオブジェクトが配置されるページの背景色の色とが同一であるもしくは近似していること、前記第二のオブジェクトと前記第一のオブジェクトの態様が模様であるオブジェクトとが重なって配置されていること、または前記第二のオブジェクトと前記第一のオブジェクトの態様がタイトルもしくはロゴであるオブジェクトとが重なって配置されていることのうちの少なくとも１つである、
請求項３ないし５のいずれかに記載のコンピュータプログラム。
【請求項７】
前記確認ページ通知処理は、前記不適切可能性ページに対応するページアイコンを強調して表示させることによって、前記確認すべきページをユーザに知らせる処理である、
請求項３ないし６のいずれかに記載のコンピュータプログラム。
【請求項８】
前記確認ページ通知処理は、前記不適切可能性ページのページ番号をまとめた電子ファイルを生成し、ユーザによって当該電子ファイルが開かれることによって、前記確認すべきページをユーザに知らせる処理である、
請求項３ないし６のいずれかに記載のコンピュータプログラム。
【請求項９】
前記確認ページ通知処理は、前記不適切可能性ページのページ番号をまとめたポップアップを表示させることによって、前記確認すべきページをユーザに知らせる処理である、
請求項３ないし６のいずれかに記載のコンピュータプログラム。
【発明の詳細な説明】
【技術分野】
【０００１】
本発明は、ページ番号、ウォーターマーク、または日付などを原稿に付与するための原稿編集装置などに関する。
【背景技術】
【０００２】
近年、オンデマンド印刷またはプリントオンデマンド（ＰＯＤ）などと呼ばれる、必要な時に必要な部数の印刷を行う印刷方式が普及している。オンデマンド印刷においては、従来のように製版工程を経て印刷を行うのではなく、ＤＴＰ（Desktop publishing）用のソフトウェアなどによって作成したデジタルのデータを直接デジタル印刷機に出力することによって印刷を行う。
【０００３】
このような印刷方法は、従来の印刷方法に較べて、大規模な設備、膨大な工数、および熟練した技術を要することなく、手軽にかつ短期間で必要な時に必要な部数の印刷を行うことができる点で有利である。また、１枚毎に内容をアレンジして印刷（バリアブル印刷）を行うことができる柔軟性の高い点でも有利である。
【０００４】
そのため、最近では、専門の印刷業者はもとより、マニュアル、カタログ、またはＤＭ（Direct Mail）などの印刷を自前で行う目的で、一般企業などにおいても、デジタル印刷機を中核とするオンデマンド印刷システムの導入および利用が広まりつつある。
【０００５】
オンデマンド印刷では、一般に、デジタル印刷機に出力する印刷用のデータを原稿編集ソフトウェアによって作成する。原稿編集ソフトウェアには、印刷用のレイアウトおよびデザインなどの原稿の編集を行うための様々な機能が備わっている。例えば、ユーザからの指示に応じて、文書データまたは画像データなどの原稿データを印刷用のデータに取り込む機能や、各ページにページ番号、ウォーターマーク、または日付などを付与する機能が備わっている。
【０００６】
また、ページ番号を付与する際、綴じ位置や開き方向を考慮して、ページ番号を付与する位置を動的に移動させる機能も提案されている（特許文献１）。
【先行技術文献】
【特許文献】
【０００７】
【特許文献１】特開２００７−３１７２２５
【発明の概要】
【発明が解決しようとする課題】
【０００８】
さて、原稿編集ソフトウェアを用いて、ページ番号、ウォーターマーク、または日付など（以降において、「ページアイテム」と呼称する。）を全てのページまたは所定のページ単位で一括して付与することがある。そのような場合に、ページ内のコンテンツの状態によっては、ページアイテムが適切に付与されないことがある。つまり、ページアイテムとテキストや画像や背景などのページ内のコンテンツを構成する他の要素とが重なって配置されることによって、ページアイテムが正しく認識される態様で印画されないことがある。
【０００９】
そのため従来は、ページアイテムが適切に付与されているか否かを全てのページについてユーザがレイアウト画面において目視で確認していた。そして、適切に付与されていないページについて、ページアイテムを表示させないようにする、またはページアイテムを付与する位置を移動させるなどの対処を行っていた。
【００１０】
通常、レイアウト画面には１ページ分の範囲しか表示されないため、ユーザは、ページアイテムが適切に付与されているか否かを確認する際、１ページずつページ送りをしながら確認していかなければならない。例えば、次のようにして、１ページずつ確認していかなければならない。
【００１１】
図２４に示すように、ユーザは、ページ番号を全てのページにヘッダーまたはフッターとして付与する設定を行った後（＃１６０１）、１ページ目を表示させてページ番号が適切に付与されていることを確認する（＃１６０２）。次に、２ページ目を表示させてページ番号が適切に付与されていることを確認する（＃１６０３）。次に、３ページ目を表示させてページ番号が画像と重なって配置されていることを確認する（＃１６０４）。ここで、３ページ目はコンテンツが画像のみで構成されるページであるためページアイテムを表示させる必要はないと判断し、３ページ目はページ番号を表示させない設定に変更する（＃１６０５）。次に、４ページ目を表示させて…というような手順でページ番号が適切に付与されているか否かの確認作業を行わなければならなかった。ページ数が多い場合、全てのページについてそのような確認作業を行うのには多大な労力を要する。
【００１２】
よって、原稿編集のワークフロー全体の中で特に、ページアイテムを付与する工程での作業時間がかかるという問題があった。
【００１３】
なお、特許文献１に示される発明を用いても、ページアイテムとテキストや画像や背景などのコンテンツを構成する他の要素とが重なって配置される状態を修正することができるわけではない。したがって、このような問題を解消することはできなかった。
【００１４】
本発明は、このような問題点に鑑み、ページアイテムが適切に付与されていないページをユーザが迅速かつ容易に特定することができるようにすることを目的とする。
【課題を解決するための手段】
【００１５】
本発明に係る原稿編集装置は、１つまたは複数の第一のオブジェクトを含む複数のページからなる原稿を編集するための原稿編集装置であって、前記ページごとに、第二のオブジェクトを追加するオブジェクト追加手段と、前記ページのうちの、前記第二のオブジェクトが適切に追加されていない可能性のあるページである不適切可能性ページを、適切に追加されていない要因ごとに抽出する、不適切可能性ページ抽出手段と、抽出された前記不適切可能性ページの多さを前記要因ごとに表示する不適切可能性ページ多さ表示手段と、選択された前記要因に抽出されたページである選択ページを、前記不適切可能性ページから除外する、不適切可能性ページ除外手段と、前記選択ページが除外された前記不適切可能性ページを、確認すべきページとしてユーザに知らせる、確認ページ通知手段と、を有する。
【００１６】
本発明に係る原稿編集プログラムは、１つまたは複数の第一のオブジェクトを含む複数のページからなる原稿を編集するための原稿編集装置に用いられるコンピュータプログラムであって、前記原稿編集装置に、前記ページごとに、第二のオブジェクトを追加するオブジェクト追加処理と、前記ページのうちの、前記第二のオブジェクトが適切に追加されていない可能性のあるページである不適切可能性ページを、適切に追加されていない要因ごとに抽出する、不適切可能性ページ抽出処理と、抽出された前記不適切可能性ページの多さを前記要因ごとに表示する不適切可能性ページ多さ表示処理と、選択された前記要因に抽出されたページである選択ページを、前記不適切可能性ページから除外する、不適切可能性ページ除外処理と、前記選択ページが除外された前記不適切可能性ページを、確認すべきページとしてユーザに知らせる、確認ページ通知処理と、を実行させる。
【００１７】
好ましくは、前記要因ごとに抽出された前記不適切可能性ページのサムネイルを表示するサムネイル表示処理を実行させる。
【００１８】
好ましくは、前記第二のオブジェクトは、ページ番号、ウォーターマーク、日付、会社のロゴマーク、または雑誌もしくは書籍のタイトルである。
【００１９】
好ましくは、前記要因は、前記第二のオブジェクトと前記第一のオブジェクトのデータ形式が画像であるオブジェクトとが重なって配置されていること、前記第二のオブジェクトと前記第一のオブジェクトのデータ形式がテキストであるオブジェクトとが重なって配置されていること、前記第二のオブジェクトを構成するテキストの色と前記第二のオブジェクトが配置されるページの背景色の色とが同一であるもしくは近似していること、前記第二のオブジェクトと前記第一のオブジェクトの態様が模様であるオブジェクトとが重なって配置されていること、または前記第二のオブジェクトと前記第一のオブジェクトの態様がタイトルもしくはロゴであるオブジェクトとが重なって配置されていることである。
【００２０】
好ましくは、前記確認ページ通知処理は、前記不適切可能性ページに対応するページアイコンを強調して表示させることによって、前記確認すべきページをユーザに知らせる処理である。
【００２１】
または、前記確認ページ通知処理は、前記不適切可能性ページのページ番号をまとめた電子ファイルを生成し、ユーザによって当該電子ファイルが開かれることによって、前記確認すべきページをユーザに知らせる処理である。
【００２２】
または、前記確認ページ通知処理は、前記不適切可能性ページのページ番号をまとめたポップアップを表示させることによって、前記確認すべきページをユーザに知らせる処理である。
【発明の効果】
【００２３】
本発明によれば、ユーザは、ページアイテムが適切に付与されていないページを迅速かつ容易に特定することができる。
【図面の簡単な説明】
【００２４】
【図１】ＤＴＰシステムの全体的な構成の例を示す図である。
【図２】原稿編集装置の機能的な構成の例を示す図である。
【図３】レイアウトウィンドウの例を示す図である。
【図４】ページ情報テーブル（編集データの一部分）の構造の例を示す図である。
【図５】下書きデータに含まれるページの例を示す図である。
【図６】ページ本体フレームに表示されるページの遷移の例を示す図である。
【図７】ページアイテム設定ダイアログの例を示す図である。
【図８】ページアイテム情報テーブル（編集データの一部分）の構造の例を示す図である。
【図９】付与状態判定テーブルの例を示す図である。
【図１０】ページ内のコンテンツの状態のパターンを示す図である。
【図１１】第１のパターンの判定処理の流れの例を示すフローチャートである。
【図１２】第２のパターンの判定処理の流れの例を示すフローチャートである。
【図１３】第３のパターンの判定処理の流れの例を示すフローチャートである。
【図１４】第４のパターンの判定処理の流れの例を示すフローチャートである。
【図１５】第５のパターンの判定処理の流れの例を示すフローチャートである。
【図１６】ページ内のコンテンツの状態が複数のパターンに重複して該当する場合の例を示す図である。
【図１７】抽出結果表示ダイアログの例を示す図である。
【図１８】パターンに該当するページのサムネイルを配列した該当ページ一覧の例を示す図である。
【図１９】ページアイコンを強調して表示させる例を示す図である。
【図２０】ページアイテムが貼り付けられたページ内のコンテンツの状態の例を示す図である。
【図２１】ページ番号がまとめて書込まれた電子ファイルの例を示す図である。
【図２２】ページ番号一覧ダイアログの例を示す図である。
【図２３】原稿編集装置における全体的な処理の流れの一例を示すフローチャートである。
【図２４】ページ送りをしながらページアイテムの付与状態を確認する場合の例を示す図である。
【発明を実施するための形態】
【００２５】
図１はＤＴＰシステムＳＹの全体的な構成の例を示す図である。
【００２６】
図１に示すように、ＤＴＰシステムＳＹは、原稿編集装置１および印刷装置２などがネットワークＮＷに接続されて構成される。ネットワークＮＷには、その他の情報処理装置が接続される場合もある。
【００２７】
ネットワークＮＷは、ＬＡＮ（Local Area Network）などによって構築され、通信プロトコルとしてＴＣＰ／ＩＰなどが用いられる。また、ネットワークＮＷは、ゲートウェイなどを経由してインターネットに接続可能な場合もある。
【００２８】
本実施形態では、顧客から原稿を受け取り、その編集および印刷を請け負う印刷会社に設けられているＤＴＰシステムＳＹを例に説明する。
【００２９】
原稿編集装置１は、印刷用のレイアウトおよびデザインなどの原稿の編集、並びにネットワークを介したデータの送受信などの機能を備えた装置である。
【００３０】
特に本実施形態においては、顧客から受け取った下書きデータＤＤを取り込んで印刷用のレイアウトおよびデザインに編集し直した編集データＥＤを作成するために用いられる。また、作成した編集データＥＤを印刷装置２が解析可能なデータである印刷データＰＤに変換して印刷装置２へ送出するために用いられる。
【００３１】
原稿編集装置１としては、ＣＰＵ、ＲＡＭ、ＲＯＭ、記憶装置、表示装置、キーボード、ポインティングデバイス、およびネットワークインタフェースなどによって構成される汎用コンピュータなどが用いられる。
【００３２】
印刷装置２は、ネットワークＮＷに接続された情報処理装置から利用可能な、いわゆるネットワークプリント機能を備えた装置である。プリント機能のほかに、コピー、スキャナ、ファックス、およびドキュメントサーバなどの様々な機能を備えた「複合機」または「ＭＦＰ（Multi Function Peripherals）」などと呼ばれる画像処理装置であってもよい。特に本実施形態においては、原稿編集装置１から送られてくる印刷データＰＤに基づいた画像を用紙に印刷するために用いられる。また、必要に応じて、印刷された印刷物に対して、ステイプル、折り加工、または製本加工などのフィニッシングを施すために用いられる。
【００３３】
〔第一の実施形態〕
図２は原稿編集装置１の機能的な構成の例を示す図、図３はレイアウトウィンドウＬＷの例を示す図、図４はページ情報テーブルＰＧＴ１（編集データＥＤの一部分）の構造の例を示す図、図５は下書きデータＤＤに含まれるページの例を示す図、図６はページ本体フレームＬＳＦ１に表示されるページの遷移の例を示す図、図７はページアイテム設定ダイアログＤＡ１の例を示す図、図８はページアイテム情報テーブルＰＩＴ（編集データＥＤの一部分）の構造の例を示す図、図９は付与状態判定テーブルＳＪＴの例を示す図、図１０はページ内のコンテンツの状態のパターンを示す図、図１１は第１のパターンの判定処理の流れの例を示すフローチャート、図１２は第２のパターンの判定処理の流れの例を示すフローチャート、図１３は第３のパターンの判定処理の流れの例を示すフローチャート、図１４は第４のパターンの判定処理の流れの例を示すフローチャート、図１５は第５のパターンの判定処理の流れの例を示すフローチャート、図１６はページ内のコンテンツの状態が複数のパターンに重複して該当する場合の例を示す図、図１７は抽出結果表示ダイアログＤＡ２の例を示す図、図１８はパターンに該当するページのサムネイルを配列した該当ページ一覧ＴＮの例を示す図、図１９はページアイコンを強調して表示させる例を示す図、図２０はページアイテムが貼り付けられたページ内のコンテンツの状態の例を示す図である。
【００３４】
原稿編集装置１の記憶装置には、図２に示すような、原稿データ取得部１０１、編集データ作成部１０２、ページアイテム付与部１０３、付与状態判別部１０４、抽出結果表示部１０５、付与状態変更部１０６、および確認ページ一覧表示部１０７などの各機能部を実現するためのプログラムが格納されている。それらのプログラムは、ＣＰＵによって、ＲＡＭにロードされて実行される。
【００３５】
以下、各機能部の処理内容について、原稿の編集を担当する編集ユーザが原稿編集装置１に対して行う操作に沿った順序で説明する。
【００３６】
ある顧客が複数のページ（例えば、１００〜３００ページ）で構成される下書きデータＤＤを、図１におけるＤＴＰシステムＳＹが設けられている印刷会社に入稿したとする。印刷会社は、顧客からの指示に従って、下書きデータＤＤに基づいて所定の編集を行って編集データＥＤを作成し、印刷装置２を用いて編集データＥＤの内容を印刷する。所定の編集としては、各ページごとに行う編集と、全てのページに対して一括して行う編集とがある。前者の編集は、所定のページに、模様、雑誌のタイトル、および会社のロゴを付加する編集である。後者の編集は、全てのページに、ページ番号、ウォーターマーク、日付、またはその他のオブジェクトを付与する編集である。以下、後者の編集で付加するオブジェクトを「ページアイテム」と呼称する。また、顧客は、ページアイテムを全てのページに付与した後、印刷を行う前に、それらのページアイテムが適切に付与されているか否かを確認するよう印刷会社に要望しているものとする。
【００３７】
原稿編集装置１の記憶装置には、顧客から入稿された下書きデータＤＤが格納されている。下書きデータＤＤは、文書作成ソフトウェアまたは画像編集ソフトウェアなどによって作成されたファイルであり、例えば、ＰＤＦ（Portable Document Format）ファイルやＴＩＦＦ（Tagged Image File Format）ファイルである。
【００３８】
編集ユーザは、図３に示すような、原稿編集装置１の表示装置の画面上に表示されるレイアウトウィンドウＬＷを見ながら、原稿の編集を行う。レイアウトウィンドウＬＷは、ページ本体フレームＬＳＦ１およびページ一覧マップフレームＬＳＦ２などから構成される。ページ本体フレームＬＳＦ１には、編集の対象となる各ページのいずれか１ページが表示される。ページ一覧マップフレームＬＳＦ２には、編集の対象となる各ページを指し示すページアイコンが配列される。編集ユーザは、ページ一覧マップフレームＬＳＦ２内に表示されるページアイコンを選択することによって、そのページアイコンが指し示すページをページ本体フレームＬＳＦ１に表示させることができる。
【００３９】
第一の実施形態は、編集ユーザが全てのページにページアイテムを付与するための操作を行った際に、ページ一覧マップフレームＬＳＦ２に表示されるページアイコンのうち、ページアイテムが適切に付与されていない可能性のあるページに対応するページアイコンを強調して表示させて、そのページアイコンに対応するページの確認をユーザに促す場合の例である。
【００４０】
最初に、編集ユーザは、これから編集を行おうとする下書きデータＤＤを原稿編集装置１に対して指定する。
【００４１】
すると、図２における原稿データ取得部１０１は、編集ユーザによって指定された下書きデータＤＤを記憶装置から取得し、編集データ作成部１０２へ引き渡す。
【００４２】
編集データ作成部１０２は、受け取った下書きデータＤＤに含まれる各ページごとに、図４（ａ）に示すようなページ情報テーブルＰＧＴ１を作成し、そのページに関する情報を管理する。つまり、下書きデータＤＤに含まれるページ数分のページ情報テーブルＰＧＴ１が作成される。ページ情報テーブルＰＧＴ１は、編集データＥＤの一部分となる。
【００４３】
ここで、ページ情報テーブルＰＧＴ１の構造について説明する。
【００４４】
ページ情報テーブルＰＧＴ１は、ページ属性およびオブジェクトリスト情報ＰＧＴ２などから構成される。ページ属性には、ヘッダー／フッターの表示／非表示の設定フラグおよびページの背景色の設定値などのそのページの属性に関する情報が設定される。背景色の設定値とは、ＲＧＢ（Red-Green-Blue）またはＣＭＹＫ（Cyan-Magenta-Yellow-Black）などで表現された値である。
【００４５】
オブジェクトリスト情報ＰＧＴ２は、オブジェクト総数、およびオブジェクト総数分のオブジェクト情報ＰＧＴ３などから構成される。オブジェクト総数には、そのページに含まれるオブジェクトの総数が設定される。オブジェクトは、ページ内に存在するテキストまたは画像などの、そのページのコンテンツを構成する要素である。ただし、ページアイテムは、オブジェクトリスト情報ＰＧＴ２における管理の対象から除外される。
【００４６】
オブジェクト情報ＰＧＴ３は、オブジェクト種別、コンテンツ種別、および位置情報などから構成される。
【００４７】
オブジェクト情報ＰＧＴ３のオブジェクト種別には、図４（ｂ）に示すように、「テキストオブジェクト」、「イメージオブジェクト」、または「テーブルオブジェクト」などのオブジェクトのデータ形式を示す種別が設定される。
【００４８】
オブジェクト情報ＰＧＴ３のコンテンツ種別には、図４（ｃ）に示すように、「本体」、「模様」、「タイトル」、または「ロゴ」などのオブジェクトの態様を示す種別が設定される。「本体」は、下書きデータＤＤから取り込まれたオブジェクトであることを示す種別である。「模様」、「タイトル」、「ロゴ」は、下書きデータＤＤから取り込まれたオブジェクトではなく、それぞれ原稿編集装置１において模様、タイトル、ロゴとして後付けされたオブジェクトであることを示す種別である。
【００４９】
オブジェクト情報ＰＧＴ３の位置情報には、オブジェクトがページ内において配置された位置を示す値が設定される。例えば、オブジェクトが貼り付けられた矩形領域の左上角のＸＹ座標と右下角のＸＹ座標とを指し示す値であったり、オブジェクトが貼り付けられた矩形領域の左下角のＸＹ座標と矩形幅と矩形高さとを指し示す値であったりする。
【００５０】
さて、図２における編集データ作成部１０２は、下書きデータＤＤに含まれる各ページの情報を解析し、ページ内に存在するコンテンツを構成する１つまたは複数の要素を個々のオブジェクトとしてオブジェクトリスト情報ＰＧＴ２に登録する。
【００５１】
例えば、図５に示すような、テキストが貼り付けられた領域２０１、画像が貼り付けられた領域２０２、および画像が貼り付けられた領域２０３からなるページが下書きデータＤＤに含まれていたとする。この場合、編集データ作成部１０２は、そのページについてのページ情報テーブルＰＧＴ１のオブジェクトリスト情報ＰＧＴ２に、領域２０１、領域２０２、および領域２０３に貼り付けられた要素を個々のオブジェクトとして登録する。その際、領域２０１に対応するオブジェクト情報ＰＧＴ３には、オブジェクト種別として「テキストオブジェクト」を設定する。また、コンテンツ種別として「本体」を設定する。また、位置情報としてページ内における領域２０１の位置を示す値を設定する。同様に、領域２０２に対応するオブジェクト情報ＰＧＴ３には、オブジェクト種別として「イメージオブジェクト」を設定する。また、コンテンツ種別として「本体」を設定する。また、位置情報としてページ内における領域２０２の位置を示す値を設定する。同様に、領域２０３に対応するオブジェクト情報ＰＧＴ３には、オブジェクト種別として「イメージオブジェクト」を設定する。また、コンテンツ種別として「本体」を設定する。また、位置情報としてページ内における領域２０３の位置を示す値を設定する。
【００５２】
編集データ作成部１０２は、このようにして作成したページ情報テーブルＰＧＴ１に従って、下書きデータＤＤをそのまま取り込んだ各ページの内容をページ本体フレームＬＳＦ１に表示させる。例えば、図６（ａ）に示すようなページをページ本体フレームＬＳＦ１に表示させる。
【００５３】
次に、編集ユーザは、ページ本体フレームＬＳＦ１に表示された各ページの内容を確認する。さらに、顧客からの指示に沿って、所定の模様を所定のページの所定の位置に付加するよう原稿編集装置１に対して指示する。
【００５４】
すると、編集データ作成部１０２は、指示されたページについてのページ情報テーブルＰＧＴ１のオブジェクトリスト情報ＰＧＴ２に、その模様をオブジェクトとして登録する。その際、オブジェクト情報ＰＧＴ３には、オブジェクト種別として「テキストオブジェクト」または「イメージオブジェクト」を設定する。また、コンテンツ種別として「模様」を設定する。また、位置情報としてページ内においてその模様を貼り付ける位置を示す値を設定する。そして、その模様を付加したページの内容をページ本体フレームＬＳＦ１に表示させる。例えば、図６（ｂ）に示すような、所定の模様を領域２０４に付加したページをページ本体フレームＬＳＦ１に表示させる。
【００５５】
次に、編集ユーザは、ページ本体フレームＬＳＦ１において所定のページの所定の位置に所定の模様が付加されたことを確認する。さらに、顧客からの指示に沿って、雑誌のタイトルを所定のページの所定の位置に付加するよう原稿編集装置１に対して指示する。
【００５６】
すると、編集データ作成部１０２は、指示されたページについてのページ情報テーブルＰＧＴ１のオブジェクトリスト情報ＰＧＴ２に、そのタイトルをオブジェクトとして登録する。その際、オブジェクト情報ＰＧＴ３には、オブジェクト種別として「テキストオブジェクト」または「イメージオブジェクト」などのそのデータ形式に応じた種別を設定する。また、コンテンツ種別として「タイトル」を設定する。また、位置情報としてページ内においてそのタイトルを貼り付ける位置を示す値を設定する。そして、そのタイトルを付加したページの内容をページ本体フレームＬＳＦ１に表示させる。例えば、図６（ｃ）に示すような、雑誌のタイトルを領域２０５に付加したページをページ本体フレームＬＳＦ１に表示させる。
【００５７】
次に、編集ユーザは、ページ本体フレームＬＳＦ１において所定のページの所定の位置に雑誌のタイトルが付加されたことを確認する。さらに、顧客からの指示に沿って、会社のロゴを所定のページの所定の位置に付加するよう原稿編集装置１に対して指示する。
【００５８】
すると、編集データ作成部１０２は、指示されたページについてのページ情報テーブルＰＧＴ１のオブジェクトリスト情報ＰＧＴ２に、そのロゴをオブジェクトとして登録する。その際、オブジェクト情報ＰＧＴ３には、オブジェクト種別として「テキストオブジェクト」または「イメージオブジェクト」などのそのデータの形式に応じた種別を設定する。また、コンテンツ種別として「ロゴ」を設定する。また、位置情報としてページ内においてそのロゴを貼り付ける位置を示す値を設定する。そして、そのロゴを付加したページの内容をページ本体フレームＬＳＦ１に表示させる。例えば、図６（ｄ）に示すような、会社のロゴを領域２０６に付加したページをページ本体フレームＬＳＦ１に表示させる。
【００５９】
次に、編集ユーザは、ページ本体フレームＬＳＦ１において所定のページの所定の位置に会社のロゴが付加されたことを確認する。さらに、顧客からの指示に沿って、所定のページの背景色を所定の色に変更するよう原稿編集装置１に対して指示する。
【００６０】
すると、編集データ作成部１０２は、指示されたページについてのページ情報テーブルＰＧＴ１のページ属性における背景色の設定値を指示された色を示す値に設定する。
【００６１】
次に、編集ユーザは、ページ番号、ウォーターマーク、日付、またはその他のオブジェクトのうち、付与すべきページアイテムを付与する機能を選択する。例えば、ページ番号または日付を付与したい場合は、「ヘッダー／フッターの追加・編集」機能を選択する。ウォーターマークを付与したい場合は、「ウォーターマークの追加・編集」機能を選択する。
【００６２】
すると、ページアイテム付与部１０３は、編集ユーザによって選択されたページアイテムを付与する設定を行うためのページアイテム設定ダイアログＤＡ１を原稿編集装置１の表示装置の画面上に表示させる。例えば、編集ユーザによって「ヘッダー／フッターの追加・編集」機能が選択された場合は、図７（ａ）に示すようなページアイテム設定ダイアログＤＡ１ａを表示させる。また、編集ユーザによって「ウォーターマークの追加・編集」機能が選択された場合は、図７（ｂ）に示すようなページアイテム設定ダイアログＤＡ１ｂを表示させる。
【００６３】
次に、編集ユーザは、ページアイテム設定ダイアログＤＡ１において付与すべきページアイテムを全てのページに付与するために必要な設定値を入力し、「ＯＫ」ボタンを押下する。ページアイテムを付与するために必要な設定値とは、ページアイテムを構成するテキストのフォントに関する設定値、ページアイテムを付与する位置に関する設定値などである。
【００６４】
すると、編集データ作成部１０２は、編集ユーザによって入力された設定値に基づいて、図８（ａ）に示すような、ページアイテム情報テーブルＰＩＴを作成する。ページアイテム情報テーブルＰＩＴは、編集データＥＤの一部分となる。
【００６５】
ここで、ページアイテム情報テーブルＰＩＴの構造について説明する。
【００６６】
ページアイテム情報テーブルＰＩＴは、アイテム種別、位置情報、およびフォント情報などから構成される。
【００６７】
ページアイテム情報テーブルＰＩＴのアイテム種別には、図８（ｂ）に示すように、「ページ番号」、「日付」、「ウォーターマーク」、または「その他オブジェクト」などのページアイテムの種別が設定される。「ウォーターマーク」は、透かして挿入されるテキストオブジェクトである。「その他オブジェクト」は、ページ番号、日付、およびウォーターマーク以外のオブジェクト全般である。例えば、会社のロゴマークなどをイメージオブジェクトとして取り込んだもの、または雑誌のタイトルなどをテキストオブジェクトとして取り込んだものである。
【００６８】
ページアイテム情報テーブルＰＩＴの位置情報には、ページアイテムがページ内において配置された位置を示す値が設定される。例えば、ページアイテムが貼り付けられた矩形領域の左上角のＸＹ座標と右下角のＸＹ座標とを指し示す値であったり、ページアイテムが貼り付けられた矩形領域の左下角のＸＹ座標と矩形幅と矩形高さとを指し示す値であったりする。
【００６９】
ページアイテム情報テーブルＰＩＴのフォント情報には、ページアイテムを構成するテキストのフォントのフォント形式、フォントサイズ、およびフォント色（ＲＧＢまたはＣＭＹＫで表現された値）などのそのフォントに関する情報が設定される。
【００７０】
さて、図２における編集データ作成部１０２は、ページアイテム情報テーブルＰＩＴのアイテム種別として、編集ユーザによって選択されたページアイテムに基づいた種別を設定する。また、位置情報として、編集ユーザによって入力された、ページアイテムを付与する位置に関する設定値に基づいた値を設定する。また、フォント情報として、編集ユーザによって入力された、ページアイテムを構成するテキストのフォントに関する設定値に基づいた値を設定する。また、全てのページについてのページ情報テーブルＰＧＴ１のページ属性におけるヘッダー／フッターの表示／非表示の設定フラグを「表示」に設定する。そして、そのページアイテムを付与したページの内容をページ本体フレームＬＳＦ１に表示させる。
【００７１】
編集データ作成部１０２は、作成したページアイテム情報テーブルＰＩＴ、および更新した全てのページについてのページ情報テーブルＰＧＴ１を付与状態判別部１０４に引き渡す。
【００７２】
付与状態判別部１０４は、ページアイテム情報テーブルＰＩＴおよび全てのページについてのページ情報テーブルＰＧＴ１を受け取ると、ページアイテムが適切に付与されていない可能性のあるページを判別し、図９に示すような付与状態判定テーブルＳＪＴを作成する。
【００７３】
具体的には、付与状態判別部１０４は、ページ内のコンテンツの状態が、図１０（ａ）〜（ｅ）に示すような、ページアイテムが適切に付与されない要因となり得る５つのパターンに該当するか否かを各ページごとに判定することによって、ページアイテムが適切に付与されていない可能性のあるページおよびその要因を判別する。
【００７４】
第１のパターンは、図１０（ａ）に示すように、「ページアイテムと下書きデータＤＤから取り込んだ画像とが重なって配置されている状態」である。
【００７５】
第２のパターンは、図１０（ｂ）に示すように、「ページアイテムと下書きデータＤＤから取り込んだテキストとが重なって配置されている状態」である。
【００７６】
第３のパターンは、図１０（ｃ）に示すように、「ページアイテムを構成するテキストの色とページの背景色の色とが同一であるまたは近似している状態」である。
【００７７】
第４のパターンは、図１０（ｄ）に示すように、「ページアイテムと付加した模様とが重なって配置されている状態」である。
【００７８】
第５のパターンは、図１０（ｅ）に示すように、「ページアイテムと付加したタイトルまたはロゴとが重なって配置されている状態」である。
【００７９】
図２における付与状態判別部１０４は、各ページの状態が第１のパターンに該当するか否かを、図１１に示すような処理を行うことによって判定する。
【００８０】
図１１に示すように、付与状態判別部１０４は、ページ情報テーブルＰＧＴ１からオブジェクトリスト情報ＰＧＴ２、さらにはオブジェクト情報ＰＧＴ３と辿り、コンテンツ種別として「本体」が設定されかつオブジェクト種別として「イメージオブジェクト」が設定されているオブジェクトがそのページ内に存在するか否かを確認する（＃１００１）。そのようなオブジェクトが存在しない場合には（＃１００１でＮｏ）、そのページの状態は第１のパターンに該当しないと判定する（＃１００２）。そのようなオブジェクトが存在する場合には（＃１００１でＹｅｓ）、そのオブジェクトについてのオブジェクト情報ＰＧＴ３の位置情報に設定されている値とページアイテム情報テーブルＰＩＴの位置情報に設定されている値とを比較することによって、そのオブジェクトが貼り付けられた矩形領域のうちページアイテムが貼り付けられた矩形領域と重なる領域があるか否かを判断する（＃１００３）。そのようなオブジェクトが複数存在する場合には各々のオブジェクトについて同様の判断を行う。重なる領域があると判断したオブジェクトが１つでも存在する場合には（＃１００３でＹｅｓ）、そのページの状態は第１のパターンに該当すると判定する（＃１００４）。そのようなオブジェクトが１つも存在しない場合には（＃１００３でＮｏ）、そのページの状態は第１のパターンに該当しないと判定する（＃１００２）。
【００８１】
また、付与状態判別部１０４は、各ページの状態が第２のパターンに該当するか否かを、図１２に示すような処理を行うことによって判定する。
【００８２】
図１２に示すように、付与状態判別部１０４は、ページ情報テーブルＰＧＴ１からオブジェクトリスト情報ＰＧＴ２、さらにはオブジェクト情報ＰＧＴ３と辿り、コンテンツ種別として「本体」が設定されかつオブジェクト種別として「テキストオブジェクト」が設定されているオブジェクトがそのページ内に存在するか否かを確認する（＃１１０１）。そのようなオブジェクトが存在しない場合には（＃１１０１でＮｏ）、そのページの状態は第２のパターンに該当しないと判定する（＃１１０２）。そのようなオブジェクトが存在する場合には（＃１１０１でＹｅｓ）、そのオブジェクトについてのオブジェクト情報ＰＧＴ３の位置情報に設定されている値とページアイテム情報テーブルＰＩＴの位置情報に設定されている値とを比較することによって、そのオブジェクトが貼り付けられた矩形領域のうちページアイテムが貼り付けられた矩形領域と重なる領域があるか否かを判断する（＃１１０３）。そのようなオブジェクトが複数存在する場合には各々のオブジェクトについて同様の判断を行う。重なる領域があると判断したオブジェクトが１つでも存在する場合には（＃１１０３でＹｅｓ）、そのページの状態は第２のパターンに該当すると判定する（＃１１０４）。そのようなオブジェクトが１つも存在しない場合には（＃１１０３でＮｏ）、そのページの状態は第２のパターンに該当しないと判定する（＃１１０２）。
【００８３】
また、付与状態判別部１０４は、各ページの状態が第３のパターンに該当するか否かを、図１３に示すような処理を行うことによって判定する。
【００８４】
図１３に示すように、付与状態判別部１０４は、ページアイテム情報テーブルＰＩＴのフォント情報におけるフォント色の設定値とページ情報テーブルＰＧＴ１のページ属性における背景色の設定値とを比較する（＃１２０１）。それらの設定値が同一であるまたは近似していると判断した場合には（＃１２０１でＹｅｓ）、そのページの状態は第３のパターンに該当すると判定する（＃１２０３）。それらの設定値が同一でもなく近似してもいないと判断した場合には（＃１２０１でＮｏ）、そのページの状態は第３のパターンに該当しないと判定する（＃１２０２）。なお、色の設定値が近似しているか否かの判断は、ＲＧＢまたはＣＭＹＫの値の差が所定の範囲内か否かなどによって判断する。
【００８５】
また、付与状態判別部１０４は、各ページの状態が第４のパターンに該当するか否かを、図１４に示すような処理を行うことによって判定する。
【００８６】
図１４に示すように、付与状態判別部１０４は、ページ情報テーブルＰＧＴ１からオブジェクトリスト情報ＰＧＴ２、さらにはオブジェクト情報ＰＧＴ３と辿り、コンテンツ種別として「模様」が設定されているオブジェクトがそのページ内に存在するか否かを確認する（＃１３０１）。そのようなオブジェクトが存在しない場合には（＃１３０１でＮｏ）、そのページの状態は第４のパターンに該当しないと判定する（＃１３０２）。そのようなオブジェクトが存在する場合には（＃１３０１でＹｅｓ）、そのオブジェクトについてのオブジェクト情報ＰＧＴ３の位置情報に設定されている値とページアイテム情報テーブルＰＩＴの位置情報に設定されている値とを比較することによって、そのオブジェクトが貼り付けられた矩形領域のうちページアイテムが貼り付けられた矩形領域と重なる領域があるか否かを判断する（＃１３０３）。そのようなオブジェクトが複数存在する場合には各々のオブジェクトについて同様の判断を行う。重なる領域があると判断したオブジェクトが１つでも存在する場合には（＃１３０３でＹｅｓ）、そのページの状態は第４のパターンに該当すると判定する（＃１３０４）。そのようなオブジェクトが１つも存在しない場合には（＃１３０３でＮｏ）、そのページの状態は第４のパターンに該当しないと判定する（＃１３０２）。
【００８７】
また、付与状態判別部１０４は、各ページの状態が第５のパターンに該当するか否かを、図１５に示すような処理を行うことによって判定する。
【００８８】
図１５に示すように、付与状態判別部１０４は、ページ情報テーブルＰＧＴ１からオブジェクトリスト情報ＰＧＴ２、さらにはオブジェクト情報ＰＧＴ３と辿り、コンテンツ種別として「タイトル」または「ロゴ」が設定されているオブジェクトがそのページ内に存在するか否かを確認する（＃１４０１）。そのようなオブジェクトが存在しない場合には（＃１４０１でＮｏ）、そのページの状態は第５のパターンに該当しないと判定する（＃１４０２）。そのようなオブジェクトが存在する場合には（＃１４０１でＹｅｓ）、そのオブジェクトについてのオブジェクト情報ＰＧＴ３の位置情報に設定されている値とページアイテム情報テーブルＰＩＴの位置情報に設定されている値とを比較することによって、そのオブジェクトが貼り付けられた矩形領域のうちページアイテムが貼り付けられた矩形領域と重なる領域があるか否かを判断する（＃１４０３）。そのようなオブジェクトが複数存在する場合には各々のオブジェクトについて同様の判断を行う。重なる領域があると判断したオブジェクトが１つでも存在する場合には（＃１４０３でＹｅｓ）、そのページの状態は第５のパターンに該当すると判定する（＃１４０４）。そのようなオブジェクトが１つも存在しない場合には（＃１４０３でＮｏ）、そのページの状態は第５のパターンに該当しないと判定する（＃１４０２）。
【００８９】
また、付与状態判別部１０４は、各ページの状態が第１〜第５のいずれのパターンにも該当しないと判定した場合には、ページの状態は第６のパターンに該当すると判定する。第６のパターンは、例えば、図１０（ｆ）に示すように、ページアイテムがいずれのオブジェクトとも重ならずに配置されている状態であり、かつ、ページアイテムを構成するテキストの色とページの背景色の色とが同一でもなく近似してもいない状態である。
【００９０】
このようにして、各ページ内のコンテンツの状態は、基本的に第１〜第６のいずれか１つのパターンに判別される。
【００９１】
ただし、ページ内のコンテンツの状態が複数のパターンに重複して該当する場合もあり得る。
【００９２】
その１つの場合として、第１、第２、第４、および第５のいずれかのパターンと第３のパターンとに重複して該当する場合である。つまり、ページアイテムがいずれかのオブジェクトと重なって配置されている状態であり、かつ、ページアイテムを構成するテキストの色とページの背景色の色とが同一であるまたは近似している状態である。例えば、図１６（ａ）に示すように、ページアイテムがテキストと重なって配置されている状態であり、かつ、ページアイテムを構成するテキストの色とページの背景色とが同系色の状態である。この場合は、そのページの状態は第３のパターンに該当すると判定する。
【００９３】
他の１つの場合として、第１，第２，第４，および第５のうちの複数のパターンに重複して該当する場合である。つまり、ページアイテムが複数のオブジェクトと重なって配置されている状態である。例えば、図１６（ｂ）に示すように、ページアイテムが画像およびテキストの双方と重なって配置されている状態である。この場合は、次に示すような方法によっていずれか１つのパターンに該当すると判定する。
【００９４】
まず、ページアイテムが貼り付けられた矩形領域の面積に対する、各オブジェクトが貼り付けられた矩形領域と重なる領域の面積の比率を算出する。そして、ページアイテムはその比率が最も高いオブジェクトと重なっていると判断する。例えば、図１６（ｂ）に示す状態では、ページアイテムが貼り付けられた矩形領域のうち、テキストが貼り付けられた矩形領域と重なる領域の面積３０２の比率のほうが、画像が貼り付けられた矩形領域と重なる領域の面積３０１の比率よりも大きいため、ページアイテムはテキストと重なっていると判断する。つまり、そのページの状態は第１のパターンではなく第２のパターンに該当すると判定する。ただし、ページアイテムがいずれのオブジェクトとも同じ比率で重なっている場合には、そのページの状態は第６のパターンに該当すると判定する。
【００９５】
図２における付与状態判別部１０４は、そのようにして、ページ内のコンテンツの状態を第１〜第６のいずれか１つのパターンに特定し、各ページごとに、特定したパターンを付与状態判定テーブルＳＪＴの判定結果に登録していく。全てのページについて付与状態判定テーブルＳＪＴへの登録を終えると、作成した付与状態判定テーブルＳＪＴを抽出結果表示部１０５に引き渡す。
【００９６】
抽出結果表示部１０５は、付与状態判定テーブルＳＪＴを受け取ると、ページアイテムが適切に付与されていない可能性のあるページの抽出結果などを編集ユーザに知らせるための抽出結果表示ダイアログＤＡ２を表示装置の画面上に表示させる。
【００９７】
具体的には、抽出結果表示部１０５は、付与状態判定テーブルＳＪＴに基づいて、第１ないし第６のパターンそれぞれに該当するページの数Ｓ１〜Ｓ６を集計する。さらに、第１ないし第５のパターンのいずれかに該当するページの数（つまり、Ｓ１＋Ｓ２＋…＋Ｓ５）を集計する。また、ページの総数（つまり、Ｓ１＋Ｓ２＋…＋Ｓ６）に対する、第１ないし第６のパターンそれぞれに該当するページの数Ｓ１〜Ｓ６の割合を算出する。さらに、ページの総数（つまり、Ｓ１＋Ｓ２＋…＋Ｓ６）に対する、第１ないし第５のパターンのいずれかに該当するページの数（つまり、Ｓ１＋Ｓ２＋…＋Ｓ５）の割合を算出する。
【００９８】
抽出結果表示部１０５は、それらの集計および算出を終えると、その結果をユーザに知らせるための抽出結果表示ダイアログＤＡ２を表示装置の画面上に表示させる。
【００９９】
具体的には、図１７に示すように、第１ないし第６のパターンそれぞれに該当するページの数を抽出結果表示ダイアログＤＡ２に抽出ページ数４０１として提示する。または、ページの数ではなく、ページの総数に対する、第１ないし第６のパターンそれぞれに該当するページの数の割合を提示するようにしてもよい。つまり、ページ内のコンテンツの状態別に分類したページの多さを提示する。
【０１００】
また、ページの総数に対する、第１ないし第５のパターンのいずれかに該当するページの数の割合を抽出結果表示ダイアログＤＡ２に抽出状況４０２として提示する。または、ページの数の割合ではなく、第１ないし第５のパターンのいずれかに該当するページの数を提示するようにしてもよい。つまり、ページアイテムが適切に付与されていない可能性のあるページの多さを提示する。
【０１０１】
抽出結果表示ダイアログＤＡ２には、さらに、第１〜第５のパターンごとに、それらのパターンに判別されているページをページアイテムが適切に付与されていない可能性のあるページとして取扱わないようにする選択を行うための解除選択欄４０３を設ける。また、それらのパターンに判別されているページ（ページアイテムが付与された状態のページ）のサムネイルをまとめて表示（サムネイル表示）する選択を行うためのサムネイル表示選択欄４０４を設ける。それらの選択欄として、例えば、チェックボックスなどが採用される。
【０１０２】
次に、編集ユーザは、抽出結果表示ダイアログＤＡ２に提示された抽出ページ数４０１および抽出状況４０２などを確認し、第１〜第５のパターンのうちページアイテムが適切に付与されない要因として除外できると判断したパターンに設けられた解除選択欄４０３を有効にする。例えば、ページアイテムが下書きデータＤＤから取り込んだ画像と重なることは無視してもよいと判断した場合は、第１のパターンに設けられたチェックボックスを「ＯＮ」にし、「ＯＫ」ボタンを押下する。
【０１０３】
編集ユーザは、解除選択欄４０３を有効にする操作を行う前に、あるパターンを除外できるか否かを判断するために、そのパターンに判別されているページをまとめて確認することができる。この場合は、そのパターンに設けられたサムネイル表示選択欄４０４を有効にする。
【０１０４】
すると、抽出結果表示部１０５は、編集データ作成部１０２からページアイテム情報テーブルＰＩＴ、および、サムネイル表示選択欄４０４において編集ユーザによって選択されたパターンに判別されているページについてのページ情報テーブルＰＧＴ１を取得する。そして、それらのテーブルに設定された情報に基づいて、図１８に示すような、そのパターンに判別されているページのサムネイルを配列した該当ページ一覧ＴＮをレイアウトウィンドウＬＷとは別のウィンドウとして表示装置の画面上に表示させる。
【０１０５】
さて、付与状態変更部１０６は、解除選択欄４０３において編集ユーザによってあるパターンが選択されると、付与状態判別部１０４から付与状態判定テーブルＳＪＴを取得し、付与状態判定テーブルＳＪＴの判定結果を更新する。
【０１０６】
具体的には、解除選択欄４０３において編集ユーザによって選択されたパターンに判別されているページについての付与状態判定テーブルＳＪＴの判定結果を第６のパターンに変更する。つまり、編集ユーザによって選択されたパターンに判別されているページをページアイテムが適切に付与されていない可能性のあるページではないものとして取扱う。
【０１０７】
付与状態変更部１０６は、そのようにして更新した付与状態判定テーブルＳＪＴを確認ページ一覧表示部１０７に引き渡す。
【０１０８】
なお、解除選択欄４０３において編集ユーザによっていずれのパターンも選択されなかった場合は、付与状態判別部１０４から取得した付与状態判定テーブルＳＪＴを更新せずに確認ページ一覧表示部１０７に引き渡す。
【０１０９】
確認ページ一覧表示部１０７は、更新された付与状態判定テーブルＳＪＴを受け取ると、ページアイテムが適切に付与されているか否かの確認を編集ユーザに促すために、ページ一覧マップフレームＬＳＦ２において、確認が必要なページに対応するページアイコンを強調して表示させる。
【０１１０】
具体的には、ページ一覧マップフレームＬＳＦ２に表示されるページアイコンのうち、更新された付与状態判定テーブルＳＪＴの判定結果において第１〜第５のパターンのいずれかに判別されているページに対応するページアイコンを第６のパターンに判別されているページに対応するページアイコンよりも強調して表示させる。例えば、図１９に示すように、前者のページアイコンの色を後者のページアイコンの色よりも目立つ色にして表示させる。つまり、抽出結果表示ダイアログＤＡ２に提示したページアイテムが適切に付与されていない可能性のあるページから、編集ユーザによって除外されたパターンに判別されているページを差し引いたページに対応するページアイコンが強調して表示される。
【０１１１】
次に、編集ユーザは、強調して表示されているページアイコンを選択することによって、そのページアイコンに対応するページをページ本体フレームＬＳＦ１に表示させ、ページアイテムが付与されている態様を確認する。つまり、ページアイテムが適切に付与されているか否かを目視で確認する。
【０１１２】
ページアイテムが適切に付与されていないことを確認した場合の対処法は様々である。
ページアイテムがいずれかのオブジェクトと重なって配置されている状態である場合における、対処法の一例を、図２０を参照しながら説明する。
【０１１３】
編集データ作成部１０２は、編集ユーザからページアイテムが貼り付けられた位置を変更したい旨を受け付けると、まず、ページ内でいずれのオブジェクトも貼り付けられていない領域であり、かつページアイテムが占める領域以上の面積を有する領域である移動先候補領域５０２を検出する。例えば、ページ内の状態が図２０に示すような状態であれば、移動先候補領域５０２ａおよび移動先候補領域５０２ｂが検出される。
【０１１４】
次に、検出した移動先候補領域５０２のうち、元のページアイテムが貼り付けられている領域である移動元領域５０１に最も近い位置にある移動先候補領域５０２を移動先領域５０３に決定する。例えば、ページ内の状態が図２０に示すような状態であれば、移動先候補領域５０２ａよりも移動先候補領域５０２ｂのほうが移動元領域５０１により近い位置にあるため、移動先候補領域５０２ｂが移動先領域５０３に決定される。
【０１１５】
次に、ページアイテムを貼り付ける位置を、決定した移動先領域５０３の所定の場所に変更する。例えば、ページ内の状態が図２０に示すような状態であれば、ページアイテムを貼り付ける位置が、移動先領域５０３として決定された移動先候補領域５０２ｂ内の所定の場所に変更される。
【０１１６】
このようにして、下書きデータＤＤに基づいて所定の編集が行われた編集データＥＤが作成される。
【０１１７】
最終的に、編集ユーザによって印刷メニューが選択されると、編集データ作成部１０２は、プリンタドライバなどを介して編集データＥＤを印刷装置２へ送出する。そして、印刷装置２によって編集データＥＤの内容が印刷される。
【０１１８】
上述の第一の実施形態によれば、編集ユーザは、ページアイテムが適切に付与されていない可能性のあるページを容易に特定することができる。よって、編集ユーザは、全てのページについてページアイテムが適切に付与されているか否かを確認する必要がなく、それらの特定のページについてのみ確認すればよい。したがって、ページアイテムを付与する工程での作業時間が短縮される。
【０１１９】
〔第二の実施形態〕
図２１はページ番号がまとめて書込まれた電子ファイルの例を示す図である。
【０１２０】
第二の実施形態においても、ページアイテムが適切に付与されていない可能性があるページの確認を編集ユーザに促す目的は第一の実施形態の場合と変わらないが、その促し方が第一の実施形態とは異なる。第二の実施形態は、編集ユーザが編集用原稿の各ページにページアイテムを付与するための操作を行った際に、ページアイテムが適切に付与されていない可能性のあるページのページ番号をまとめた電子ファイルを生成して、そのページ番号に対応するページの確認を編集ユーザに促す場合の例である。
【０１２１】
以下、第一の実施形態と相違する点を中心に説明し、第一の実施形態と重複する点については、説明を省略する場合がある。
【０１２２】
確認ページ一覧表示部１０７は、更新された付与状態判定テーブルＳＪＴを受け取ると、更新された付与状態判定テーブルＳＪＴの判定結果において第１〜第５のパターンに判別されているページのページ番号をまとめた電子ファイルをあらかじめ設定された所定のディレクトリの配下に生成する。例えば、図２１に示すように、第１〜第５のパターンに判別されているページのページ番号が書き込まれたテキストファイルを生成する。
【０１２３】
ユーザは、アプリケーションプログラムなどを起動させることによって生成された電子ファイルを開いて、書き込まれているページ番号を確認する。例えば、図２１に示すようなテキストファイルが生成された場合、テキストエディタなどを用いてテキストファイルを開いて、書き込まれているページ番号を確認する。
【０１２４】
上述の第二の実施形態によっても、編集ユーザは、ページアイテムが適切に付与されていない可能性のあるページを容易に特定することができる。しかも、それらのページのページ番号が電子ファイルにおいて保存されるため、いったん編集の作業を中断した後に再開する場合などであっても、作業に支障を生じることがない。
【０１２５】
〔第三の実施形態〕
図２２はページ番号一覧ダイアログＤＡ３の例を示す図である。
【０１２６】
第三の実施形態においても、ページアイテムが適切に付与されていない可能性があるページの確認を編集ユーザに促す目的は第一および第二の実施形態の場合と変わらないが、その促し方が第一および第二の実施形態とは異なる。第三の実施形態は、編集ユーザが編集用原稿の各ページにページアイテムを付与するための操作を行った際に、ページアイテムが適切に付与されていない可能性のあるページのページ番号をまとめたポップアップを表示させて、そのページ番号に対応するページの確認を編集ユーザに促す場合の例である。
【０１２７】
以下、第一および第二の実施形態と相違する点を中心に説明し、第一の実施形態と重複する点については、説明を省略する場合がある。
【０１２８】
確認ページ一覧表示部１０７は、更新された付与状態判定テーブルＳＪＴを受け取ると、更新された付与状態判定テーブルＳＪＴの判定結果において第１〜第５のパターンに判別されているページのページ番号をまとめて編集ユーザに知らせるためのページ番号一覧ダイアログＤＡ３を表示装置の画面上に表示させる。例えば、図２２に示すように、第１〜第５のパターンに判別されているページのページ番号が並べて提示されたページ番号一覧ダイアログＤＡ３を表示させる。
【０１２９】
上述の第三の実施形態によっても、編集ユーザは、ページアイテムが適切に付与されていない可能性のあるページを容易に特定することができる。しかも、それらのページのページ番号がページ番号一覧ダイアログＤＡ３において提示されるため、ページ本体フレームＬＳＦ１を広く確保したいなどの理由からページ一覧マップフレームＬＳＦ２を表示させていなくても、編集ユーザに確認を促すことができる。
【０１３０】
図２３は原稿編集装置１における全体的な処理の流れの一例を示すフローチャートである。
【０１３１】
上述の第一ないし第三の実施形態に共通する、原稿編集装置１における全体的な処理の流れの一例を、図２３のフローチャートを参照しながら説明する。
【０１３２】
図２３において、原稿編集装置１は、編集ユーザからの指示に応じて下書きデータＤＤを取り込んだり、さらにオブジェクトを付加したりすることによって各ページのコンテンツを作成する（＃１５０１）。編集ユーザによってページアイテムを付与する機能が選択されると、入力された設定値などに基づいて全てのページにページアイテムを付与する（＃１５０２）。そして、ページアイテムが適切に付与されていない可能性のあるページを要因項目別に抽出する（＃１５０３）。抽出したページの多さを要因項目ごとに表示する（＃１５０４）。編集ユーザによって除外すべき要因項目が選択されると、選択された要因項目に判別されているページをページアイテムが適切に付与されていない可能性のあるページの対象から除外する（＃１５０５）。最終的に、除外されなかった要因項目に判別されている、ページアイテムが適切に付与されていない可能性のあるページを、確認すべきページとして編集ユーザに知らせる（＃１５０６）。
【０１３３】
なお、上述の第一および第三の実施形態では、編集ユーザは、ページアイテム設定ダイアログＤＡ１において、付与すべきページアイテムを全てのページに付与する操作を行ったが、所定の複数のページにのみ付与する操作を行うこともできる。編集ユーザによってそのような操作が行われた場合は、編集データ作成部１０２は、その所定の複数のページについてのページ情報テーブルＰＧＴ１のページ属性におけるヘッダー／フッターの表示／非表示の設定フラグを「表示」に設定すればよい。そして、付与状態判別部１０４は、ページ情報テーブルＰＧＴ１のページ属性においてヘッダー／フッターの表示／非表示の設定フラグが「表示」に設定されているページについて、ページ内のコンテンツの状態を第１〜第６のいずれか１つのパターンに特定すればよい。それ以外のページについては、そのページの状態は第６のパターンに該当すると判定すればよい。
【０１３４】
また、上述の第一および第三の実施形態では、付与状態判別部１０４は、ページ内のコンテンツの状態が複数のパターンに重複して該当する場合であっても、第１〜第６のいずれか１つのパターンに特定して付与状態判定テーブルＳＪＴに登録する構成としたが、その場合は、重複して該当することを示す判定結果を付与状態判定テーブルＳＪＴに登録する構成としてもよい。
【０１３５】
また、上述の第一および第三の実施形態では、抽出結果表示部１０５は、ページアイテムが適切に付与されていない可能性のあるページの数またはページの総数に対するその割合を提示する構成としたが、編集ユーザが確認すべきページの多さを直感的に把握し得る情報を提示するようにしてもよい。例えば、棒グラフや円グラフなどを提示することが考えられる。
【０１３６】
上述の実施例において、原稿編集装置１の構成は、本発明の主旨に沿って適宜変更することができる。また、原稿編集装置１によって行われる処理内容、処理順序、テーブルの構成なども、本発明の趣旨に沿って適宜変更することができる。
【符号の説明】
【０１３７】
１  原稿編集装置
１０３    ページアイテム付与部（オブジェクト追加手段）
１０４    付与状態判別部（不適切可能性ページ抽出手段）
１０５    抽出結果表示部（不適切可能性ページ多さ表示手段）
１０６    付与状態変更部（不適切可能性ページ除外手段）
１０７    確認ページ一覧表示部（確認ページ通知手段）
４０１    抽出ページ数（抽出された前記不適切可能性ページの多さ）
【図１】
2011044047.tif 000003
【図２】
2011044047.tif 000004
【図３】
2011044047.tif 000005
【図４】
2011044047.tif 000006
【図５】
2011044047.tif 000007
【図６】
2011044047.tif 000008
【図７】
2011044047.tif 000009
【図８】
2011044047.tif 000010
【図９】
2011044047.tif 000011
【図１０】
2011044047.tif 000012
【図１１】
2011044047.tif 000013
【図１２】
2011044047.tif 000014
【図１３】
2011044047.tif 000015
【図１４】
2011044047.tif 000016
【図１５】
2011044047.tif 000017
【図１６】
2011044047.tif 000018
【図１７】
2011044047.tif 000019
【図１８】
2011044047.tif 000020
【図１９】
2011044047.tif 000021
【図２０】
2011044047.tif 000022
【図２１】
2011044047.tif 000023
【図２２】
2011044047.tif 000024
【図２３】
2011044047.tif 000025
【図２４】
2011044047.tif 000026